(57)【要約】【課題】プリントジョブに要するトータル消費電力が最も少ない画像形成装置で当該プリントジョブを処理するプリント制御システム、及び、当該プリント制御システムに用いられるプリント制御装置及び画像形成装置を提供する。【解決手段】省電力モードを備えた複数の画像形成装置３と、前記画像形成装置３にプリントジョブを要求するプリント制御装置４がネットワーク接続されたプリント制御システム１で、前記プリント制御装置４に、各画像形成装置２の性能情報を管理する性能情報管理部４０と、省電力モードにある画像形成装置２の立上時間Ｔｒを算出する立上時間管理部４１と、プリントジョブの発生時に前記性能情報、立上時間Ｔｒ、及びプリント枚数Ｐｐに基づいて積算電力Ｗｔを算出する電力算出部４２と、前記積算電力Ｗｔが最小となる画像形成装置２に対して優先的にプリントジョブを送信するプリントジョブ管理部４３を備える。【選択図】図３
2010002972.tif 000002
【特許請求の範囲】
【請求項１】
待機時の消費電力を低減させる省電力モードを備えた複数の画像形成装置と、前記画像形成装置に対してプリントジョブを要求するプリント制御装置がネットワーク接続されたプリント制御システムであって、
前記プリント制御装置に、各画像形成装置のプリント速度、消費電力、及び省電力モードからレディモードへの基準復帰時間を含む性能情報を管理する性能情報管理部と、省電力モードに移行している画像形成装置がプリント可能なレディ状態に復帰する迄に要する立上時間を算出する立上時間管理部と、プリントジョブの発生時に前記性能情報、立上時間、及びプリント枚数に基づいて、プリント可能な画像形成装置毎にプリントジョブの実行に要する積算電力を算出する電力算出部とを備え、前記電力算出部により算出された積算電力が最小となる画像形成装置に対して優先的にプリントジョブを送信するプリントジョブ管理部を備えているプリント制御システム。
【請求項２】
前記立上時間管理部は、各画像形成装置から受信した省電力モード移行情報と、省電力モード移行情報受信時からの経過時間と、前記基準復帰時間に基づいて前記立上時間を算出する請求項１記載のプリント制御システム。
【請求項３】
前記省電力モード移行情報に、省電力移行時の環境情報が含まれる請求項２記載のプリント制御システム。
【請求項４】
前記立上時間管理部は、プリントジョブの発生時に各画像形成装置にプリント可能なレディ状態に復帰する迄に要する立上時間を要求し、各画像形成装置から送信された立上時間を前記電力算出部に出力する請求項１記載のプリント制御システム。
【請求項５】
請求項１から４の何れかに記載のプリント制御システムに用いられるプリント制御装置。
【請求項６】
請求項１から４の何れかに記載のプリント制御システムに用いられる画像形成装置。
【発明の詳細な説明】
【技術分野】
【０００１】
本発明は、プリント制御システム、及び、当該プリント制御システムに用いられるプリント制御装置及び画像形成装置に関する。
【背景技術】
【０００２】
プリンタや、プリンタ機能を有する所謂複合機などの画像形成装置は、イーサネット（登録商標）などのネットワークを介してコンピュータ端末やプリントサーバと接続されてプリント制御システムを構成する。性能（例えば、カラープリントの可否、プリント速度など）が異なる複数の画像形成装置が設置されたプリント制御システムでは、各画像形成装置に適したプリントジョブを夫々に要求することで、各プリントジョブを効率的、経済的に実行することができる。
【０００３】
例えば、特許文献１には、複数の画像形成装置とホストがネットワークを介して接続され、各画像形成装置の定着温度をホスト側で監視可能なプリンタシステムが開示されている。特許文献１に開示されたプリンタシステムでは、プリント命令時、定着温度データより省エネモードからのウォームアップ時間が最も短い画像形成装置を検索・選択し、その画像形成装置にプリントデータを送出する機能をホストに備えることで、各プリントジョブの実行に要する電力の削減を図っている。
【特許文献１】特開２００４−２７２０１１号公報
【発明の開示】
【発明が解決しようとする課題】
【０００４】
一般的に、電子写真方式を採用した画像形成装置では、プリント速度とウォームアップ時の消費電力が正の相関関係を有しているため、プリント枚数の少ないプリントジョブを処理するのに適した所謂低速機は、プリント枚数の多いプリントジョブを処理するのに適した所謂高速機と較べて、待機状態からのウォームアップ時間が短く、ウォームアップ時の消費電力が少ない。従って、特許文献１に開示されたプリンタシステムでは、このような画像形成装置にプリントジョブが集中することになる。
【０００５】
しかし、低速機でプリント枚数の多いプリントジョブを実行するとプリント時間が長くなり、高速機を用いるよりもトータルの消費電力がかえって増加することがある。さらに、低速機は、一般的に高速機より耐久性が低く、多くのプリントジョブが集中することで使用頻度が高くなり、早く劣化する。
【０００６】
本発明は、上述の問題点に鑑み、プリントジョブに要するトータル消費電力が最も少ない画像形成装置で当該プリントジョブを処理するプリント制御システム、及び、当該プリント制御システムに用いられるプリント制御装置及び画像形成装置を提供することを目的とする。
【課題を解決するための手段】
【０００７】
上述の目的を達成するため、本発明によるプリント制御システムの第一の特徴構成は、特許請求の範囲の書類の請求項１に記載した通り、待機時の消費電力を低減させる省電力モードを備えた複数の画像形成装置と、前記画像形成装置に対してプリントジョブを要求するプリント制御装置がネットワーク接続されたプリント制御システムであって、前記プリント制御装置に、各画像形成装置のプリント速度、消費電力、及び省電力モードからレディモードへの基準復帰時間を含む性能情報を管理する性能情報管理部と、省電力モードに移行している画像形成装置がプリント可能なレディ状態に復帰する迄に要する立上時間を算出する立上時間管理部と、プリントジョブの発生時に前記性能情報、立上時間、及びプリント枚数に基づいて、プリント可能な画像形成装置毎にプリントジョブの実行に要する積算電力を算出する電力算出部とを備え、前記電力算出部により算出された積算電力が最小となる画像形成装置に対して優先的にプリントジョブを送信するプリントジョブ管理部を備えている点にある。
【０００８】
省電力モードに移行している画像形成装置のうち、プリントジョブに要するトータルの消費電力が最小となる画像形成装置に、優先的に当該プリントジョブがプリント制御装置から送信されるため、当該プリントジョブが最小の消費電力で実行される可能性が高くなる。
【０００９】
同第二の特徴構成は、同請求項２に記載した通り、上述の第一特徴構成に加えて、前記立上時間管理部は、各画像形成装置から受信した省電力モード移行情報と、省電力モード移行情報受信時からの経過時間と、前記基準復帰時間に基づいて前記立上時間を算出する点にある。
【００１０】
電子写真方式を採用した画像形成装置では、省電力状態からプリント可能なレディ状態に復帰する迄に要する立上時間は、定着温度がプリント可能な所定温度迄上昇するまでの時間と略同一である。つまり、立上時間は、定着温度が高ければ短く、低ければ長くなる。そこで、立上時間管理部は、定着装置への給電が停止して定着温度が低下し始める省電力モード移行情報受信時からの経過時間に応じて定着温度の低下割合を求め、当該定着温度の低下割合を考慮して基準復帰時間に基づき立上時間を正確に算出することができる。
【００１１】
同第三の特徴構成は、同請求項３に記載した通り、上述の第二の特徴構成に加えて、前記省電力モード移行情報に、省電力移行時の環境情報が含まれる点にある。
【００１２】
定着温度の低下割合は、機内温度や湿度などによって変化する。立上時間管理部は、機内温度や湿度などを示す環境情報を加味して、経過時間に基づいて定着温度の低下割合を求めることで、より正確な立上時間を算出することができる。
【００１３】
同第四の特徴構成は、同請求項４に記載した通り、上述の第一の特徴構成に加えて、前記立上時間管理部は、プリントジョブの発生時に各画像形成装置にプリント可能なレディ状態に復帰する迄に要する立上時間を要求し、各画像形成装置から送信された立上時間を前記電力算出部に出力する点にある。
【００１４】
立上時間管理部は自ら立上時間を算出する必要はなく、プリント制御装置の負荷が軽減される。
【００１５】
本発明によるプリント制御装置の特徴構成は、同請求項５に記載した通り、上述の第一から第四の何れかの特徴構成を備えたプリント制御システムに用いられる点にある。
【００１６】
本発明による画像形成装置の特徴構成は、同請求項６に記載した通り、上述の第一から第四の何れかの特徴構成を備えたプリント制御システムに用いられる点にある。
【発明の効果】
【００１７】
以上説明した通り、本発明によれば、プリントジョブに要するトータル消費電力が最も少ない画像形成装置で当該プリントジョブを処理するプリント制御システム、及び、当該プリント制御システムに用いられるプリント制御装置及び画像形成装置を提供することができるようになった。
【発明を実施するための最良の形態】
【００１８】
以下に、本発明のプリント制御システム、及び、当該プリント制御システムに用いるプリント制御装置としてのプリントサーバ及び画像形成装置としてのプリンタについて説明する。
【００１９】
図１に示すように、プリント制御システム１は、複数のコンピュータ端末２と、待機時の消費電力を低減させる省電力モードを備えた複数のプリンタ３と、プリンタ３に対してプリントジョブを要求するプリントサーバ４が、ネットワーク１０に接続されて構成されている。
【００２０】
プリンタ３は、ネットワーク１０と接続されるネットワークインタフェース回路３０と、電子写真方式を採用したプリンタエンジン３１と、プリンタ３を制御する制御部３２などを備えている。
【００２１】
例えば、図２（ａ）はプリンタ３ａを示す図である。図２（ａ）に示すように、制御部３２ａは、ＣＰＵとＣＰＵの動作プログラムが格納されたＲＯＭとＣＰＵの作業領域であるＲＡＭが搭載された基板で構成され、ＣＰＵは動作プログラム実行してプリンタ３ａを制御する。なお、図２（ａ）では、プリンタエンジン３１ａや制御部３２ａなどがプリンタ３ａに備えられていることを示すように、これらに付与した番号には「ａ」を付加している。
【００２２】
制御部３２は、プリンタ３への電源投入後、プリントサーバ４から所定時間プリントジョブの要求がなければ、プリンタエンジン３１への給電を停止して消費電力を低減させる省電力モードにプリンタ３を移行すると共に、省電力モードに移行したことを示す省電力モード移行情報をプリントサーバ４に送信する。
【００２３】
省電力状態にあるときに、プリントサーバ４からプリントジョブの要求があると、プリントジョブを実行中であることを示すビジー情報をプリントサーバ４に送信し、プリンタエンジン３１への給電を再開する。プリンタエンジン３１に備えられた定着装置（不図示）がプリント可能な所定温度に上昇すると、プリント可能なレディモードにプリンタ３を復帰すると共に、レディモードに復帰したことを示すレディモード復帰情報をプリントサーバ４に送信する。プリントジョブを完了するとプリントジョブを完了したことを示す完了情報をプリントサーバ４に送信する。
【００２４】
コンピュータ端末２及びプリントサーバ４は、ＣＰＵ、メモリ、ハードディスクなどを備えている。例えば、図２（ｂ）はコンピュータ端末２ａを示す図である。図２（ｂ）に示すように、コンピュータ端末２ａは、ＣＰＵ２０ａとメモリ２１ａが搭載されたマザーボード２２ａと、ハードディスク２３ａと、モニタ、キーボード、マウスなどの入出力装置２４ａが接続されるインタフェース回路２５ａと、ネットワーク１０と接続されるネットワークインタフェース回路２６ａなどを備え、夫々はバス２７ａにより接続されている。なお、図２（ｂ）では、ＣＰＵ２５、メモリ２６などがコンピュータ端末２ａに備えられていることを示すように、これらに付与した番号には「ａ」を付加している。
【００２５】
コンピュータ端末２のハードディスク２３には、オペレーティングシステム（Operating System：以下、「ＯＳ」と記載する。）２３０と、文書ファイルを生成するアプリケーション２３１と、文書ファイルのプリントするページのプリントファイルを生成するプリンタドライバ２３２が格納されている。
【００２６】
コンピュータ端末２では、ＣＰＵ２０がＯＳ２３０をメモリ２１にロードして実行し、キーボードなどを介してオペレータの命令を受け付け、命令の実行結果をモニタに表示する。ＯＳ２３０の管理下で、アプリケーション２３２を実行して文書ファイルを生成し、プリンタドライバ２３２を実行してプリントファイルを生成し、プリントファイルをプリントサーバ４に送信する。プリントファイルの送信により、プリントジョブが発生する。
【００２７】
プリントファイルには、プリントジョブの実行に必要な各種の情報（例えば、プリンタ３でプリントする文書ファイルの各ページのレイアウト条件、プリント部数など）が含まれている。例えば、プリントファイルは、ページ記述言語（Page Description Language）で記述され、この場合、上述の情報はヘッダ部に記述される。
【００２８】
図３に示すように、プリントサーバ４は、各プリンタ３のプリント速度、消費電力、及び省電力モードからレディモードへの基準復帰時間を含む性能情報を管理する性能情報管理部４０と、消費電力を低減する省電力モードに移行しているプリンタ３がプリント可能なレディ状態に復帰する迄に要する立上時間を算出する立上時間管理部４１と、プリントジョブの発生時に性能情報、立上時間、及びプリント枚数に基づいて、プリント可能なプリンタ３毎にプリントジョブの実行に要する積算電力を算出する電力算出部４２とを備え、電力算出部４２により算出された積算電力が最小となるプリンタ３に対して優先的にプリントジョブを送信するプリントジョブ管理部４３を備えている。
【００２９】
性能情報管理部４０と立上時間管理部４１と電力算出部４２とプリントジョブ管理部４３は、ＯＳの管理下で、コンピュータ端末２から受信したプリントファイルに応じて、プリンタ３にプリントジョブを要求するプリントジョブ管理用のアプリケーションが実行されてプリントサーバ４に具現化される機能ブロックである。
【００３０】
性能情報管理部４０は、ハードディスクや不揮発性のメモリで構成される記憶部に各プリンタ３の性能情報を管理する領域を備え、例えば、新たなプリンタ３の設置時などに、プリント制御システム１の管理者によりプリントサーバ４にインストールされた当該プリンタ３の性能情報を既設のプリンタ３の性能情報に加えて当該領域に記憶し、管理する。
【００３１】
図４（ａ）に示すように、性能情報には、プリント速度として、ファーストプリントに要する時間Ｔｆと単位時間あたりのプリント枚数Ｐｍが設定されている。消費電力として、プリンタ３のプリント時の平均電力Ｗａが設定されている。基準復帰時間として、省電力状態で安定した状態（給電が遮断された定着装置の定着温度が安定した状態）からレディ状態（プリント可能な状態）に復帰するまでの時間として設定された仕様値Ｔｂが設定されている。
【００３２】
立上時間管理部４１は、プリンタ３が省電力モード移行時に送信する省電力モード移行情報、プリントジョブの要求があると送信するビジー情報、レディモード復帰時に送信するレディモード復帰情報、及び、プリントジョブを完了すると送信する完了情報を受信し、記憶部に確保した領域に、各情報に基づいて送信元のプリンタ３の状態を当該プリンタ３の名称と関連付けて格納する。
【００３３】
従って、立上時間管理部４１は、当該領域に格納した、省電力モード移行情報、レディモード復帰情報、ビジー情報、及び、完了情報に基づいて、各プリンタ３が省電力状態、レディ状態、または、ビジー状態の何れにあるのかを把握することができる。また、省電力モード移行情報受信時からの経過時間Ｔｐを計測し、対応するプリンタ３の名称と関連付けて当該経過時間Ｔｐを管理する。
【００３４】
当該領域には、例えば、新たなプリンタ３の設置時などにインストールされた立上時間算出情報が記憶されている。図４（ｂ）に示すように、立上時間算出情報は、省電力モード移行後の経過時間Ｔｐと、各経過時間Ｔｐに対応する短縮時間Ｔｓ（立上時間を基準復帰時間からどれだけ短縮することができるかを示す時間）の関係を示すテーブルデータで構成されている。当該関係は実験などを通じて把握される。
【００３５】
立上時間管理部４１は、プリントジョブが発生したとき、省電力モード移行情報を参照して省電力状態にあるプリンタ３を特定する。立上時間算出情報を参照し、省電力モード移行後の経過時間Ｔｐに基づいて特定した各プリンタ３の立上時間Ｔｒ（＝基準復帰時間Ｔｂ−短縮時間Ｔｓ）を算出する。
【００３６】
電力算出部４２は、発生したプリントジョブのプリントファイルのヘッダ部を解析してプリント枚数Ｐｐを算出する。そして、立上時間管理部４１を介してレディ状態及び省電力状態にある各プリンタ３を把握し、各プリンタ３で当該プリントジョブを実行した際に消費される電力である積算電力Ｗｔを夫々算出する。
【００３７】
電力算出部４２は、レディ状態にあるプリンタ３の積算電力Ｗｔｒを数１に基づいて算出する。省電力状態にあるプリンタ３の積算電力Ｗｔｓを数２に基づいて算出する。
【数１】
2010002972.tif 000003
【数２】
2010002972.tif 000004
【００３８】
プリントジョブ管理部４３は、コンピュータ端末２のプリントファイルを受信し、記憶部に確保した領域に当該プリントファイルを送信元のコンピュータ端末２の名称と関連付けて格納し、プリントジョブの発生を立上時間管理部４１と電力算出部４２に出力する。電力算出部４２により算出された積算電力Ｗｔに基づき、最小の積算電力Ｗｔのプリンタ３に当該プリントファイルを優先的に送信してプリントジョブを要求する。
【００３９】
以下に、プリント速度（Ｔｆａ、Ｐｍａ）が「３秒、８０ＰＰＭ」、消費電力Ｗａａが「１２００Ｗ」、基準復帰時間Ｔｂａが「３０秒」であるプリンタ３ａと、プリント速度（Ｔｆｂ、Ｐｍｂ）が「４秒、２５ＰＰＭ」、消費電力Ｗａｂが「１０００Ｗ」、基準復帰時間Ｔｂｂが「１５秒」であるプリンタ３ｂがプリント制御システム３に用いられている場合について説明する。
【００４０】
プリントジョブのプリント枚数Ｐｐが「１枚」、プリンタ３ａが安定した省電力状態にあるときの積算電力Ｗｔｒａは「３９６００Ｗｓｅｃ」、プリンタ３ｂが安定した省電力状態にあるときの消費電力Ｗｔｒｂは「１９０００Ｗｓｅｃ」である。従って、プリントジョブ管理部４３は、積算電力Ｗｔｒが小さいプリンタ３ｂに当該プリントジョブを要求する。
【００４１】
プリントジョブのプリント枚数Ｐｐが「２１枚」、プリンタ３ａが安定した省電力状態にあるとき、Ｗｔｒａは「５７６００Ｗｓｅｃ」、Ｗｔｒｂは「６７０００Ｗｓｅｃ」である。従って、プリントジョブ管理部４３は、積算電力Ｗｔｒが小さいプリンタ３ａに当該プリントジョブを要求する。
【００４２】
また、プリントジョブ管理部４３は、プリントファイルの送信元のコンピュータ端末２にプリントジョブを要求したプリンタ３に関する情報（例えば、プリンタ３の名称）を送信する。例えば、プリンタ３ａにプリントジョブを要求するとき、当該情報を受信したコンピュータ端末２は、図５に示すように、当該プリンタ３ａにプリント出力した旨を示す確認画面をモニタに表示する。当該確認画面を確認することで、当該コンピュータ端末２のオペレータは、要求したプリントジョブのプリントが何れのプリンタ３に出力されたのかを把握することができる。
【００４３】
以下、プリント制御システム１の動作について、図６に示すフローチャートを用いて説明する。
【００４４】
文書ファイルを編集するオペレータのプリント命令に応じて、プリンタドライバが起動され、コンピュータ端末２からプリントファイルが出力され、プリントジョブが発生する（Ｓ１）。
【００４５】
プリントサーバ４のプリントジョブ管理部４３は、プリントファイルの送信元のコンピュータ端末２の名称と関連付けて当該プリントファイルを記憶部に格納し、プリントジョブの発生を立上時間管理部４１と電力算出部４２に出力する（Ｓ３）。
【００４６】
立上時間管理部４１は、記憶部に格納した省電力モード移行情報に基づいて省電力状態にある各プリンタ３の立上時間Ｔｒを算出する（Ｓ４）。電力算出部４２は、当該プリントジョブのプリント枚数Ｐｐを算出すると共に、立上時間管理部４１を介して省電力状態またはレディ状態にある各プリンタ３を把握する。そして、算出したプリント枚数Ｐｐ、性能情報管理部４０が管理する当該各プリンタ３の性能情報、及び、立上時間管理部４１が算出した立上時間Ｔｒに基づいて、当該各プリンタ３で当該プリントジョブの実行に要する積算電力Ｗｔを算出する（Ｓ５）。
【００４７】
プリントジョブ管理部４３は、電力算出部４２が算出した積算電力Ｗｔが最小となるプリンタ３に対して、記憶部に格納したプリントファイルを出力してプリントジョブを要求する（Ｓ６）。当該プリントファイルの送信元であるコンピュータ端末２にプリントジョブを要求したプリンタ３に関する情報を送信する（Ｓ７）。
【００４８】
プリントジョブを要求されたプリンタ３は、ビジー情報をプリントサーバ４に送信すると共に受信したプリントファイルに基づいてプリント出力し、プリント出力後、完了情報をプリントサーバ４に出力する（Ｓ８）。当該プリンタ３に関する情報を受信したコンピュータ端末２は、当該プリンタ３に関する情報をモニタに表示する（Ｓ２）。
【００４９】
以下、別実施形態を説明する。上述の実施形態では、立上時間管理部４１は、各プリンタ３から受信した省電力モード移行情報と、省電力モード移行情報受信時からの経過時間Ｔｐと、基準復帰時間Ｔｂに基づいて立上時間Ｔｒを算出するものとしたが、プリントジョブの発生時に各プリンタ３にプリント可能なレディ状態に復帰する迄に要する立上時間Ｔｒを要求し、各プリンタ３から送信された立上時間Ｔｒを電力算出部４２に出力するように構成されているものであってもよい。
【００５０】
プリンタ３には、省電力モード移行後の経過時間と省電力状態からレディ状態に復帰するまでに要する立上時間の関係を示す立上時間参照情報と、立上時間管理部４１からの要求に応じて、立上時間参照情報を参照して立上時間を算出する立上時間算出部が備えられている。立上時間参照情報は、実験などを通じて取得され、制御部３２のＲＯＭなどに予め格納されている。立上時間算出部は、ＲＯＭに格納された動作プログラムがＣＰＵにより実行されて具現化される機能ブロックである。
【００５１】
立上時間管理部４１は、プリントジョブが発生すると、記憶部に格納した省電力モード移行情報に基づいて、省電力状態にあるプリンタ３を特定し、特定したプリンタ３に立上時間Ｔｒを要求する。立上時間算出部は、省電力モードに移行した時点から当該要求を受信した時点までの時間を経過時間として立上時間参照情報を参照し、立上時間Ｔｒを算出して当該立上時間Ｔｒをプリントサーバ４に送信する。このようにして、立上時間管理部４１は、プリンタ３の立上時間Ｔｒを受信し、当該立上時間Ｔｒを電力算出部４２に出力する。
【００５２】
上述した実施形態では、プリンタ３の制御部３２は、プリンタ３を省電力モードに移行する際に、省電力モード移行情報を送信するものとしたが、省電力モード移行情報に、省電力移行時の環境情報が含まれていてもよい。環境情報とは、定着温度に影響を与えるパラメータを示すものであり、例えば、プリンタ３の機内温度や湿度などを示すものである。
【００５３】
例えば、機内温度が高ければ、省電力モード移行後の経過時間Ｔｐに対する定着温度の低下割合は緩やかになり、機内温度が低ければ、当該経過時間Ｔｐに対する定着温度の低下割合は急になる。
【００５４】
そこで、プリントサーバ４の記憶部に、プリンタ３毎に、環境情報に対応する複数の立上時間算出情報を備え、省電力モード移行情報に含まれる環境情報に基づいて、参照すべき立上時間算出情報を選択するように立上時間管理部４１を構成することで、立上時間管理部４１により、立上時間Ｔｒがより正確に算出される。なお、このときの立上時間算出情報は実験などを通じて取得される。
【００５５】
上述した実施形態では、性能情報管理部４０が管理する性能情報の消費電力は、プリンタ３のプリント時の平均電力Ｗａであるものとしたが、プリンタ３を省電力状態からレディ状態に復帰する際に要する立ち上げ時の電力Ｗｗと、プリンタ３のプリント時の平均電力Ｗａであるものであってもよい。
【００５６】
この場合、電力算出部４２は、省電力状態にあるプリンタ３の積算電力Ｗｔｓを数３に基づいて算出する。これにより、立ち上げ時の電力Ｗｗと平均電力Ｗａに大きな差があるプリンタ３の積算電力Ｗｔを正確に算出することができる。
【数３】
2010002972.tif 000005
【００５７】
上述の実施形態では、本発明の画像形成装置は、プリンタ３であるものとしたが、プリンタ機能を備えた所謂複合機であってもよく、プリンタと複合機が混在するものであってもよい。
【００５８】
上述した各実施形態を、本発明による作用効果が奏される範囲で適宜組み合わせることも可能である。
【００５９】
上述の実施形態で説明した各機能ブロックは、何れも本発明の一例に過ぎず、本発明による作用効果が奏される範囲でその具体的構成を適宜変更可能なことは言うまでも無い。
【図面の簡単な説明】
【００６０】
【図１】プリント制御システムの説明図
【図２】（ａ）はプリンタの説明図、（ｂ）はコンピュータ端末の説明図
【図３】プリントサーバの説明図
【図４】（ａ）は性能情報の説明図、（ｂ）は立ち上げ時間算出情報の説明図
【図５】プリントジョブを要求したプリンタを報知する確認画面
【図６】プリント制御システムの動作を説明するフローチャート
【符号の説明】
【００６１】
１：プリント制御システム
２：コンピュータ端末
３：画像形成装置（プリンタ）
４：プリント制御装置（プリントサーバ）
４０：性能情報管理部
４１：立上時間管理部
４２：電力算出部
４３：プリントジョブ管理部
【図１】
2010002972.tif 000006
【図２】
2010002972.tif 000007
【図３】
2010002972.tif 000008
【図４】
2010002972.tif 000009
【図５】
2010002972.tif 000010
【図６】
2010002972.tif 000011